【手続補正書】
【提出日】平成21年9月15日(2009.9.15)
【手続補正１】
【補正対象書類名】特許請求の範囲
【補正対象項目名】全文
【補正方法】変更
【補正の内容】
【特許請求の範囲】
【請求項１】
情報記録媒体（メディア）に対する記録用データを出力するサーバとしての情報処理装置であり、
情報記録媒体に対する記録用データを記憶する記憶部と、
情報記録媒体に対する記録用データを生成するデータ処理部と、
前記記憶部の格納データおよび前記データ処理部の生成データを出力する出力部を有し、
前記記憶部は、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
を含むデータを格納し、
前記データ処理部は、
前記コンテンツ管理ユニットの記録先である情報記録媒体の識別情報であるメディア識別情報を取得して、取得したメディア識別情報を含むデータに基づく電子署名データを生成して、該電子署名データを含むユニット対応トークンを生成し、
前記データ出力部は、
前記コンテンツ管理ユニットと、
前記ユニット対応コンテンツ証明書と、
前記ユニット対応使用許諾情報と、
前記ユニット対応トークンを含むデータを情報記録媒体に対する記録データとして出力する処理を実行する構成であることを特徴とする情報処理装置。
【請求項２】
前記データ処理部は、
前記メディア識別情報と前記ユニット対応コンテンツ証明書の識別情報とを含むデータに対して、自装置対応の秘密鍵を適用して生成した電子署名データを含むユニット対応トークンを生成する処理を実行する構成であることを特徴とする請求項１に記載の情報処理装置。
【請求項３】
前記記憶部に格納されたユニット対応コンテンツ証明書は、正当なコンテンツ管理ユニットに対応するハッシュ値を照合用ハッシュ値として格納したコンテンツハッシュテーブルのダィジェスト値、および外部機関の電子署名が設定されたコンテンツ証明書であることを特徴とする請求項１に記載の情報処理装置。
【請求項４】
前記記憶部に格納されたユニット対応コンテンツ証明書は、
情報記録媒体（メディア）に対する記録用データを出力する情報処理装置に対応する公開鍵情報を含む証明書であることを特徴とする請求項１に記載の情報処理装置。
【請求項５】
前記データ処理部は、
前記コンテンツ管理ユニットの記録先である情報記録媒体に、既にコンテンツ管理ユニットおよび該コンテンツ管理ユニット対応の鍵情報ファイルが記録されている場合、該記録済みの鍵情報ファイルの更新処理を実行する構成であることを特徴とする請求項１に記載の情報処理装置。
【請求項６】
前記データ処理部は、
前記コンテンツ管理ユニットの記録先である情報記録媒体に記録済みのコンテンツ管理ユニットがある場合、新たに情報記録媒体に記録するコンテンツ管理ユニットに対して、前記記録済みコンテンツ管理ユニットのユニット識別情報と異なる固有のユニット識別情報を設定する処理を実行する構成であることを特徴とする請求項１に記載の情報処理装置。
【請求項７】
前記データ処理部は、
新たに情報記録媒体に記録するコンテンツ管理ユニットに対応するコンテンツ証明書のファイル名を、前記固有のユニット識別情報を含むファイル名に設定することを特徴とする請求項６に記載の情報処理装置。
【請求項８】
情報記録媒体（メディア）間のコンテンツのコピー記録処理に対する管理処理を実行するサーバとしての情報処理装置であり、
コピー記録対象となるコンテンツ管理ユニットのユニット識別情報を入力するとともに、コンテンツ管理ユニットの記録先である情報記録媒体の識別情報であるメディア識別情報を入力する入力部と、
前記メディア識別情報を含むデータに基づく電子署名データを生成して、該電子署名データを含むコンテンツ管理ユニット対応のユニット対応トークンを生成するデータ処理部と、
前記ユニット対応トークンを情報記録媒体記録データとして出力する出力部と、
を有することを特徴とする情報処理装置。
【請求項９】
情報記録媒体（メディア）に対するコンテンツ記録処理を実行する情報処理装置であり、
情報記録媒体に対する記録データを取得または生成するデータ処理部を有し、
前記データ処理部は、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
前記コンテンツ管理ユニットの記録先である情報記録媒体の識別情報であるメディア識別情報を含み、外部サーバの電子署名データを含むユニット対応トークンと、
を含むデータを情報記録媒体に対する記録データとして取得または生成する処理を実行し、
前記コンテンツ管理ユニットの記録先である情報記録媒体に記録済みのコンテンツ管理ユニットがある場合、新たに情報記録媒体に記録するコンテンツ管理ユニットに対して、前記記録済みコンテンツ管理ユニットのユニット識別情報と異なる固有のユニット識別情報を設定する処理を実行する構成であることを特徴とする情報処理装置。
【請求項１０】
第１の情報記録媒体（メディア）の記録コンテンツを読み出し、第２の情報記録媒体（メディア）に対する記録データとして出力する処理を実行する情報処理装置であり、
前記第１の情報記録媒体から読み取られたデータに基づいて、前記第２の情報記録媒体に記録するデータを生成するデータ処理部を有し、
前記データ処理部は、
利用管理単位として設定されたユニット単位のコンテンツ管理ユニットを前記第１の情報記録媒体から読み出して出力する構成であり、
前記第２の情報記録媒体に記録済みのコンテンツ管理ユニットがある場合、該第２の情報記録媒体に新たに記録するコンテンツ管理ユニットに対して、前記記録済みコンテンツ管理ユニットのユニット識別情報と異なる固有のユニット識別情報を設定する処理を実行する構成であることを特徴とする情報処理装置。
【請求項１１】
情報記録媒体に記録されたコンテンツの再生処理を実行する情報処理装置であり、
前記情報記録媒体に記録され、利用管理単位として設定されたユニット単位のコンテンツ管理ユニットを取得して復号する処理を実行するデータ処理部を有し、
前記データ処理部は、
前記コンテンツ管理ユニットに対応するユニット対応コンテンツ証明書と、
前記コンテンツ管理ユニットに対応するユニット対応使用許諾情報と、
前記情報記録媒体の識別情報であるメディア識別情報を含むデータに基づく電子署名データを含むユニット対応トークンを、
前記情報記録媒体から取得し、取得データの正当性検証処理を実行し、正当性が確認されたことを条件として前記コンテンツ管理ユニットの再生処理を実行する構成であることを特徴とする情報処理装置。
【請求項１２】
利用管理対象コンテンツを格納した情報記録媒体であり、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
前記情報記録媒体の識別情報であるメディア識別情報を含むデータに基づく電子署名データを含むユニット対応トークンを記録データとして有し、情報処理装置における前記コンテンツ管理ユニットの再生条件として、前記ユニット対応コンテンツ証明書、前記ユニット対応使用許諾情報、および前記ユニット対応トークンの検証処理を実行させる構成としたことを特徴とする情報記録媒体。
【請求項１３】
情報記録媒体（メディア）に対する記録用データを出力するサーバにおける情報処理方法であり、
データ処理部が、記憶部から、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
を取得するデータ取得ステップと、
データ処理部が、前記コンテンツ管理ユニットの記録先である情報記録媒体の識別情報であるメディア識別情報を取得して、取得したメディア識別情報を含むデータに基づく電子署名データを生成して、該電子署名データを含むユニット対応トークンを生成するトークン生成ステップと、
データ出力部が、
前記コンテンツ管理ユニットと、
前記ユニット対応コンテンツ証明書と、
前記ユニット対応使用許諾情報と、
前記ユニット対応トークンを含むデータを情報記録媒体に対する記録データとして出力するステップと、
を実行することを特徴とする情報処理方法。
【請求項１４】
情報記録媒体（メディア）間のコンテンツのコピー記録処理に対する管理処理を実行するサーバにおける情報処理方法であり、
入力部が、コピー記録対象となるコンテンツ管理ユニットのユニット識別情報を入力するとともに、コンテンツ管理ユニットの記録先である情報記録媒体の識別情報であるメディア識別情報を入力するデータ入力ステップと、
データ処理部が、前記メディア識別情報を含むデータに基づく電子署名データを生成して、該電子署名データを含むコンテンツ管理ユニット対応のユニット対応トークンを生成するトークン生成ステップと、
出力部が、前記ユニット対応トークンを情報記録媒体記録データとして出力するデータ出力ステップと、
を有することを特徴とする情報処理方法。
【請求項１５】
情報処理装置において、情報記録媒体（メディア）に対するコンテンツ記録処理を実行する情報処理方法であり、
データ処理部が、情報記録媒体に対する記録データを取得または生成するデータ処理ステップを有し、
前記データ処理ステップは、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
前記コンテンツ管理ユニットの記録先である情報記録媒体の識別情報であるメディア識別情報を含み、外部サーバの電子署名データを含むユニット対応トークンと、
を含むデータを情報記録媒体に対する記録データとして取得または生成するステップと、
前記コンテンツ管理ユニットの記録先である情報記録媒体に記録済みのコンテンツ管理ユニットがある場合、新たに情報記録媒体に記録するコンテンツ管理ユニットに対して、前記記録済みコンテンツ管理ユニットのユニット識別情報と異なる固有のユニット識別情報を設定するステップと、
を含むことを特徴とする情報処理方法。
【請求項１６】
情報処理装置において、第１の情報記録媒体（メディア）の記録コンテンツを読み出し、第２の情報記録媒体（メディア）に対する記録データとして出力する処理を実行する情報処理方法であり、
データ処理部が、前記第１の情報記録媒体から読み取られたデータに基づいて、前記第２の情報記録媒体に記録するデータを生成するデータ処理ステップを有し、
前記データ処理ステップは、
利用管理単位として設定されたユニット単位のコンテンツ管理ユニットを前記第１の情報記録媒体から読み出して出力するステップと、
前記第２の情報記録媒体に記録済みのコンテンツ管理ユニットがある場合、該第２の情報記録媒体に新たに記録するコンテンツ管理ユニットに対して、前記記録済みコンテンツ管理ユニットのユニット識別情報と異なる固有のユニット識別情報を設定する処理を実行するステップと、
を含むことを特徴とする情報処理方法。
【請求項１７】
情報処理装置において、情報記録媒体に記録されたコンテンツの再生処理を実行する情報処理方法であり、
データ処理部が、前記情報記録媒体に記録され、利用管理単位として設定されたユニット単位のコンテンツ管理ユニットを取得して復号する処理を実行するデータ処理ステップ有し、
前記データ処理ステップは、
前記コンテンツ管理ユニットに対応するユニット対応コンテンツ証明書と、
前記コンテンツ管理ユニットに対応するユニット対応使用許諾情報と、
前記情報記録媒体の識別情報であるメディア識別情報を含むデータに基づく電子署名データを含むユニット対応トークンを、
前記情報記録媒体から取得し、取得データの正当性検証処理を実行し、正当性が確認されたことを条件として前記コンテンツ管理ユニットの再生処理を実行するステップを含むことを特徴とする情報処理方法。
【請求項１８】
情報処理装置において、情報記録媒体（メディア）に対する記録用データを出力する処理を実行させるコンピュータ・プログラムであり、
データ処理部に、記憶部から、
利用管理単位として設定されたユニット単位のコンテンツ管理ユニットと、
前記コンテンツ管理ユニットに対応するユニット対応コンテンツ証明書と、
前記コンテンツ管理ユニットに対応するユニット対応使用許諾情報と、
を取得させるデータ取得ステップと、
データ処理部に、前記コンテンツ管理ユニットの記録先である情報記録媒体の識別情報であるメディア識別情報を取得して、取得したメディア識別情報を含むデータに基づく電子署名データを生成して、該電子署名データを含むユニット対応トークンを生成させるトークン生成ステップと、
データ出力部に、
前記コンテンツ管理ユニットと、
前記ユニット対応コンテンツ証明書と、
前記ユニット対応使用許諾情報と、
前記ユニット対応トークンを含むデータを情報記録媒体に対する記録データとして出力させるステップと、
を実行させることを特徴とするコンピュータ・プログラム。
【請求項１９】
情報処理装置において、情報記録媒体（メディア）間のコンテンツのコピー記録処理に対する管理処理を実行させるコンピュータ・プログラムであり、
入力部に、コピー記録対象となるコンテンツ管理ユニットのユニット識別情報を入力させるとともに、コンテンツ管理ユニットの記録先である情報記録媒体の識別情報であるメディア識別情報を入力させるデータ入力ステップと、
データ処理部に、前記メディア識別情報を含むデータに基づく電子署名データを生成させて、該電子署名データを含むコンテンツ管理ユニット対応のユニット対応トークンを生成させるトークン生成ステップと、
出力部に、前記ユニット対応トークンを情報記録媒体記録データとして出力させるデータ出力ステップと、
を実行させることを特徴とするコンピュータ・プログラム。
【請求項２０】
情報処理装置において、情報記録媒体に記録されたコンテンツの再生処理を実行させるコンピュータ・プログラムであり、
データ処理部に、前記情報記録媒体に記録され、利用管理単位として設定されたユニット単位のコンテンツ管理ユニットを取得して復号する処理を実行させるデータ処理ステップ有し、
前記データ処理ステップは、
前記コンテンツ管理ユニットに対応するユニット対応コンテンツ証明書と、
前記コンテンツ管理ユニットに対応するユニット対応使用許諾情報と、
前記情報記録媒体の識別情報であるメディア識別情報を含むデータに基づく電子署名データを含むユニット対応トークンを、
前記情報記録媒体から取得し、取得データの正当性検証処理を実行し、正当性が確認されたことを条件として前記コンテンツ管理ユニットの再生処理を実行させるステップを含むことを特徴とするコンピュータ・プログラム。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】
【手続補正１８】
【補正対象書類名】明細書
【補正対象項目名】００４２
【補正方法】削除
【補正の内容】
【手続補正１９】
【補正対象書類名】明細書
【補正対象項目名】００４３
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４７
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５１
【補正方法】削除
【補正の内容】